(57)【要約】【課題】隣位するプローブピン同士が接触するなど、傾斜型垂直カンチレバー形状のプローブピンを備えるプローブカードに生じていた種々の問題点を解決することができるプローブカードおよびその製造方法を提供する。【解決手段】本発明のプローブカード１Ａは、配線板２と、配線板２に対して水平方向の一方（傾斜方向ＳＤ）へ傾斜する傾斜型垂直カンチレバー形状であってその幅が配線板に近づくほど拡大する末広形状に形成されている複数個のプローブピン３とを備えている。【選択図】図１
2012032151.tif 000002
【特許請求の範囲】
【請求項１】
配線板と、
前記配線板に対して水平方向の一方へ傾斜する傾斜型垂直カンチレバー形状であってその幅が前記配線板に近づくほど拡大する末広形状に形成されている複数個のプローブピンと
を備えていることを特徴とするプローブカード。
【請求項２】
前記プローブピンは、前記プローブピンの断面形状または断面寸法が前記垂直方向に対して段階的に異なる形状に形成されている
ことを特徴とする請求項１に記載のプローブカード。
【請求項３】
前記プローブピンは、前記プローブピンの先端を含む部分であって前記先端から根元に向かう任意の部分において前記プローブピンと接触する接触対象に対して線状に突起する接触部を有する形状に形成されている
ことを特徴とする請求項１または請求項２に記載のプローブカード。
【請求項４】
前記複数個のプローブピンは、その傾斜方向において隣位する他のプローブピンに対し、平面視において部分的に重複させて配置されている
ことを特徴とする請求項１から請求項３のいずれか１項に記載のプローブカード。
【請求項５】
前記垂直方向における中間付近に位置する前記複数個のプローブピンの中間部を相互に連結する絶縁性の連結体を備えている
ことを特徴とする請求項１から請求項４のいずれか１項に記載のプローブカード。
【請求項６】
前記プローブピンの中間部とは、前記プローブピンの高さに対して５０％〜７０％の範囲の高さに位置する部分である
ことを特徴とする請求項５に記載のプローブカード。
【請求項７】
前記連結体は、弾性材料によって形成されている
ことを特徴とする請求項５または請求項６に記載のプローブカード。
【請求項８】
前記連結体は、前記複数個のプローブピンが貫通する部分を除いて１個または２個以上の貫通孔を有する形状に形成されている
ことを特徴とする請求項５から請求項７のいずれか１項に記載のプローブカード。
【請求項９】
前記連結体は、前記複数個のプローブピンが貫通する部分を除いて貫通孔を有しない板状に形成されている
ことを特徴とする請求項５から請求項７のいずれか１項に記載のプローブカード。
【請求項１０】
前記連結体は、前記配線板から前記連結体に向かって起立しているとともに弾性材料によって形成されている支持部材によって支持されている
ことを特徴とする請求項５から請求項９のいずれか１項に記載のプローブカード。
【請求項１１】
配線板の表面にポジ型レジスト材またはネガ型レジスト材を均一に塗布して形成したレジスト膜に対して焦点調節により得た末広がりまたは尻すぼまりの光を傾斜させて用いた露光および現像をすることにより、前記配線板に対して水平方向の一方へ傾斜する貫通孔形状であってその幅が前記配線板に近づくほど拡大する末広孔形状のプローブ型を前記レジスト膜に複数個形成するプローブ型形成工程と、
前記複数個のプローブ型を用いて導電性のプローブピンを複数個形成するプローブピン形成工程と、
前記プローブピンの形成後に前記プローブ型が形成された前記レジスト膜を除去するレジスト膜除去工程と
を備えていることを特徴とするプローブカードの製造方法。
【請求項１２】
前記プローブ型形成工程においては、前記末広がりまたは尻すぼまりの光のスポット形状またはスポット寸法を異ならせた多段階露光を露光深度に基づいて行なうことにより、前記プローブ型の断面形状または断面寸法を前記垂直方向において段階的に異ならせた形状に前記プローブ型を形成する
ことを特徴とする請求項１１に記載のプローブカードの製造方法。
【請求項１３】
前記プローブ型形成工程においては、多段階露光を行なう場合は少なくとも最初の露光段階のときに、多段階露光ではなく通常の露光を行なう場合はその露光段階のときに、前記プローブピンと接触する接触対象に対して線状に突起する接触部を有する形状の前記プローブピンの水平断面形状と同様の断面形状またはその反転形状をスポット形状とする前記末広がりまたは尻すぼまりの光を用いて露光を行なうことにより、前記接触部を有する前記プローブ型を形成する
ことを特徴とする請求項１１または請求項１２に記載のプローブカードの製造方法。
【請求項１４】
前記複数個のプローブ型は、その傾斜方向において隣位する他のプローブ型に対し、平面視において部分的に重複させて形成されている
ことを特徴とする請求項１１から請求項１３のいずれか１項に記載のプローブカードの製造方法。
【請求項１５】
前記レジスト膜は、レジスト膜の膜厚について前記ポジ型レジスト材よりも厚く形成しやすい前記ネガ型レジスト材を用いて形成されている
ことを特徴とする請求項１１から請求項１４のいずれか１項に記載のプローブカードの製造方法。
【請求項１６】
前記レジスト膜除去工程後、前記配線板の表面から前記垂直方向における中間付近に位置する前記複数個のプローブピンの中間部までの厚さのレジスト台を前記プローブピンのすべてを内包させて前記配線板の表面に形成するレジスト台形成工程と、
前記レジスト台の表面に絶縁材料を塗布して硬化させることにより、前記複数のプローブピンの中間部を相互に連結する連結体を前記レジスト台の表面に形成する連結体形成工程と、
前記連結体の形成後に前記レジスト台を除去するレジスト台除去工程と
を備えていることを特徴とする請求項１１から請求項１５のいずれか１項に記載のプローブカードの製造方法。
【請求項１７】
前記プローブピンの中間部とは、前記プローブピンの高さに対して５０％〜７０％の範囲の高さに位置する部分である
ことを特徴とする請求項１６に記載のプローブカードの製造方法。
【請求項１８】
前記連結体は、弾性材料によって形成されている
ことを特徴とする請求項１６または請求項１７に記載のプローブカードの製造方法。
【請求項１９】
前記連結体形成工程の前において、前記連結体の厚さよりも高い１個または２個以上の突起を前記レジスト台の表面に形成する突起形成工程とを備えている
ことを特徴とする請求項１６から請求項１８のいずれか１項に記載のプローブカードの製造方法。
【請求項２０】
前記レジスト台の表面は、前記複数個のプローブピンが貫通する部分を除いて前記連結体の表面に貫通孔が形成されない程度に平滑に形成されている
ことを特徴とする請求項１６から請求項１８のいずれか１項に記載のプローブカードの製造方法。
【請求項２１】
前記連結体形成工程の前において、前記レジスト台に対して前記配線板まで貫通する貫通孔を前記複数のプローブピンの形成領域よりも外側に形成する貫通孔形成工程と、
前記連結体形成工程の前において、前記レジスト台の貫通孔の内部に弾性材料を用いて支持部材を形成する支持部材形成工程と
を備えていることを特徴とする請求項１６から請求項２０のいずれか１項に記載のプローブカードの製造方法。
【発明の詳細な説明】
【技術分野】
【０００１】
本発明は、プローブカードおよびその製造方法に係り、特に、アレイ配置された複数個のプローブピンを備えるプローブカードに好適に利用できるプローブカードおよびその製造方法に関する。
【背景技術】
【０００２】
一般的に、集積回路の製造工程においては、ウェハを個々のチップに切り離す前にウェハテストを行なうため、プローブカードが用いられている。そのプローブカードにおいてウェハと導通するために用いられる端子がプローブピンである。
【０００３】
従来のプローブカードにおけるプローブピンについては、大きく分けて、プローブカードの配線板に対して水平配置された細長い片持板からなるカンチレバー型と、その垂直方向（高さ方向）に起立した垂直伸縮自在の針からなる垂直型といわれる２つの構造がある。カンチレバー型のプローブピンについては、その構造が簡易であり、レバー長やレバー幅を変更することによって機械的特性を容易に調整することができる点にメリットがあるといわれている。その一方、垂直型のプローブピンについては、カンチレバー型のプローブピンよりもレイアウトの自由度が高く、アレイ配置することができる点にメリットがあるといわれている。
【０００４】
そこで、上記した２つの構造のメリットを得るため、従来のプローブカード１０１においては、図２３に示すように、配線板１０２に対して水平方向の一方へ四角柱または楕円柱が傾斜する傾斜型垂直カンチレバー形状に形成された複数個のプローブピン１０３が配線板１０２に形成されていた。
【０００５】
【特許文献１】特開２００１−３５６１３５号公報
【発明の開示】
【発明が解決しようとする課題】
【０００６】
しかしながら、従来のプローブカード１０１においては、プローブカード１０１に対して押下操作した図示しないウェハと接触したプローブピン１０３をその傾斜方向に大きく湾曲させた場合、湾曲するプローブピン１０３がその先端１０３ｔからその根元１０３ｒまでおおむね同一の曲率半径をもって湾曲するため、あるプローブピン１０３の傾斜方向に隣位する他のプローブピン１０３と接触してしまうというおそれがあった。このような事態が生じることを防止するため、プローブピン１０３のピッチ間距離は、それらの接触を避けることができる程度に大きく設定する必要が生じていた。
【０００７】
また、従来のプローブカード１０１においては、複数個のプローブピン１０３のうちの１個または２個以上のプローブピン１０３が他のプローブピン１０３よりも高く形成されていた場合、高く形成されたプローブピン１０３が他のプローブピン１０３よりも先に湾曲変形してしまうという問題があった。プローブピン１０３の湾曲変形が個別に生じると、高く形成されたプローブピン１０３の先端１０３ｔの位置が他のプローブピン１０３の先端１０３ｔの位置と相対的にずれてしまうため、ウェハに形成された複数個の電極と複数個のプローブピン１０３とをすべて接触させることができず、正確なウェハテストを行なうことができないおそれがある。
【０００８】
さらに、従来のプローブカード１０１においては、ウェハの電極の表面に形成された酸化膜によって確実な導通が妨げられたり、ウェハの電極が削れて生じた導電粉末がプローブピン１０３の根元１０３ｒや配線板１０２の導電パターンに付着し、他のプローブピン１０３や導電パターンと短絡を生じるおそれが生じるなど、大小様々な問題があった。
【０００９】
そこで、本発明はこれらの点に鑑みてなされたものであり、傾斜型垂直カンチレバー形状のプローブピンを備えるプローブカードに生じていた種々の問題点を解決することができるプローブカードおよびその製造方法を提供することを本発明の目的としている。
【課題を解決するための手段】
【００１０】
前述した目的を達成するため、本発明のプローブカードは、その第１の態様として、配線板と、配線板に対して水平方向の一方へ傾斜する傾斜型垂直カンチレバー形状であってその幅が配線板に近づくほど拡大する末広形状に形成されている複数個のプローブピンとを備えていることを特徴としている。
【００１１】
本発明の第１の態様のプローブカードによれば、先端が湾曲しやすく、その根元が湾曲しにくいプローブピンが形成されているので、隣位する他のプローブピンと接触することを防止することができる。
【００１２】
本発明の第２の態様のプローブカードは、第１の態様のプローブカードにおいて、プローブピンは、プローブピンの断面形状または断面寸法が垂直方向に対して段階的に異なる形状に形成されていることを特徴としている。
【００１３】
本発明の第２の態様のプローブカードによれば、プローブピンの弾性特性を段階的に変化させることができる。
【００１４】
本発明の第３の態様のプローブカードは、第１または第２の態様のプローブカードにおいて、プローブピンは、プローブピンの先端を含む部分であって先端から根元に向かう任意の部分においてプローブピンと接触する接触対象に対して線状に突起する接触部を有する形状に形成されていることを特徴としている。
【００１５】
本発明の第３の態様のプローブカードによれば、プローブピンの接触部がウェハの電極の表面に形成された酸化膜を切削するので、ウェハの電極とプローブピンとを確実に導通させることができる。
【００１６】
本発明の第４の態様のプローブカードは、第１から第３のいずれか１の態様のプローブカードにおいて、複数個のプローブピンは、その傾斜方向において隣位する他のプローブピンに対し、平面視において部分的に重複させて配置されていることを特徴としている。
【００１７】
本発明の第４の態様のプローブカードによれば、プローブピンの配置密度を高くすることができる。
【００１８】
本発明の第５の態様のプローブカードは、第１から第４のいずれか１の態様のプローブカードにおいて、垂直方向における中間付近に位置する複数個のプローブピンの中間部を相互に連結する絶縁性の連結体を備えていることを特徴としている。
【００１９】
本発明の第５の態様のプローブカードによれば、複数個のプローブピンにおけるウェハの電極との接触順序にかかわらず、プローブピンの先端位置が相対的に変化することを防止することができる。
【００２０】
本発明の第６の態様のプローブカードは、第５の態様のプローブカードにおいて、プローブピンの中間部とは、プローブピンの高さに対して５０％〜７０％の範囲の高さに位置する部分であることを特徴としている。
【００２１】
本発明の第６の態様のプローブカードによれば、プローブピンの先端自由度と連結性とを両立させることができる。
【００２２】
本発明の第７の態様のプローブカードは、第５または第６の態様のプローブカードにおいて、連結体は、弾性材料によって形成されていることを特徴としている。
【００２３】
本発明の第７の態様のプローブカードによれば、プローブピンの連結性を維持しつつ、プローブピンの変形の自由度を高めることができる。
【００２４】
本発明の第８の態様のプローブカードは、第５から第７のいずれか１の態様のプローブカードにおいて、連結体は、複数個のプローブピンが貫通する部分を除いて１個または２個以上の貫通孔を有する形状に形成されていることを特徴としている。
【００２５】
本発明の第８の態様のプローブカードによれば、貫通孔の大きさや個数に応じて連結体の弾性力を制御することができる。
【００２６】
本発明の第９の態様のプローブカードは、第５から第７のいずれか１の態様のプローブカードにおいて、連結体は、複数個のプローブピンが貫通する部分を除いて貫通孔を有しない板状に形成されていることを特徴としている。
【００２７】
本発明の第９の態様のプローブカードによれば、ウェハの電極とプローブピンとの接触によって生じた導電粉末を連結体の表面において捕まえることができるので、導電粉末がプローブピンの根元や配線板の導電パターンに付着することを防止することができる。
【００２８】
本発明の第１０の態様のプローブカードは、第５から第９のいずれか１の態様のプローブカードにおいて、連結体は、配線板から連結体に向かって起立しているとともに弾性材料によって形成されている支持部材によって支持されていることを特徴としている。
【００２９】
本発明の第１０の態様のプローブカードによれば、支持部材が連結体を支持することによりプローブピンに加わる連結体の重さを減少させることができる。
【００３０】
また、前述した目的を達成するため、本発明のプローブカードの製造方法は、その第１の態様として、配線板の表面にポジ型レジスト材またはネガ型レジスト材を均一に塗布して形成したレジスト膜に対して焦点調節により得た末広がりまたは尻すぼまりの光を傾斜させて用いた露光および現像をすることにより、配線板に対して水平方向の一方へ傾斜する貫通孔形状であってその幅が配線板に近づくほど拡大する末広孔形状のプローブ型をレジスト膜に複数個形成するプローブ型形成工程と、複数個のプローブ型を用いて導電性のプローブピンを複数個形成するプローブピン形成工程と、プローブピンの形成後にプローブ型が形成されたレジスト膜を除去するレジスト膜除去工程とを備えていることを特徴としている。
【００３１】
本発明の第１の態様のプローブカードの製造方法によれば、光の末広がりまたは尻すぼまりを利用してプローブ型を形成しているので、末広形状のプローブピンを形成することができる。
【００３２】
本発明の第２の態様のプローブカードの製造方法は、第１の態様のプローブカードの製造方法において、プローブ型形成工程においては、末広がりまたは尻すぼまりの光のスポット形状またはスポット寸法を異ならせた多段階露光を露光深度に基づいて行なうことにより、プローブ型の断面形状または断面寸法を垂直方向において段階的に異ならせた形状にプローブ型を形成することを特徴としている。
【００３３】
本発明の第２の態様のプローブカードの製造方法によれば、断面形状または断面寸法を垂直方向において段階的に異ならせたプローブ型を形成することにより、プローブピンの弾性特性を段階的に変化させたプローブピンを形成することができる。
【００３４】
本発明の第３の態様のプローブカードの製造方法は、第１または第２の態様のプローブカードの製造方法において、プローブ型形成工程においては、多段階露光を行なう場合は少なくとも最初の露光段階のときに、多段階露光ではなく通常の露光を行なう場合はその露光段階のときに、プローブピンと接触する接触対象に対して線状に突起する接触部を有する形状のプローブピンの水平断面形状と同様の断面形状またはその反転形状をスポット形状とする末広がりまたは尻すぼまりの光を用いて露光を行なうことにより、接触部を有するプローブ型を形成することを特徴としている。
【００３５】
本発明の第３の態様のプローブカードの製造方法によれば、プローブピンと接触する接触対象に対して線状に突起する接触部を有する形状のプローブピンの水平断面形状と同様の断面形状またはその反転形状をスポット形状とする末広がりまたは尻すぼまりの光を用いて露光を行なうことにより、接触部を有するプローブ型を形成することができる。
【００３６】
本発明の第４の態様のプローブカードの製造方法は、第１から第３のいずれか１の態様のプローブカードの製造方法において、複数個のプローブ型は、その傾斜方向において隣位する他のプローブ型に対し、平面視において部分的に重複させて形成されていることを特徴としている。
【００３７】
本発明の第４の態様のプローブカードの製造方法によれば、傾斜方向において隣位する複数のプローブピンを平面視において部分的に重複させて配置させることができる。
【００３８】
本発明の第５の態様のプローブカードの製造方法は、第１から第４のいずれか１の態様のプローブカードの製造方法において、レジスト膜は、レジスト膜の膜厚についてポジ型レジスト材よりも厚く形成しやすいネガ型レジスト材を用いて形成されていることを特徴としている。
【００３９】
本発明の第５の態様のプローブカードの製造方法によれば、ポジ型レジスト材を用いた場合と比較してレジスト膜の厚さを厚くすることができるので、プローブピンの高さを高く形成することができる。
【００４０】
本発明の第６の態様のプローブカードの製造方法は、第１から第５のいずれか１の態様のプローブカードの製造方法において、レジスト膜除去工程後、配線板の表面から垂直方向における中間付近に位置する複数個のプローブピンの中間部までの厚さのレジスト台をプローブピンのすべてを内包させて配線板の表面に形成するレジスト台形成工程と、レジスト台の表面に絶縁材料を塗布して硬化させることにより、複数のプローブピンの中間部を相互に連結する連結体をレジスト台の表面に形成する連結体形成工程と、連結体の形成後にレジスト台を除去するレジスト台除去工程とを備えていることを特徴としている。
【００４１】
本発明の第６の態様のプローブカードの製造方法によれば、連結体によって複数のプローブピンの中間部を相互に連結させることができる。
【００４２】
本発明の第７の態様のプローブカードの製造方法は、第６の態様のプローブカードの製造方法において、プローブピンの中間部とは、プローブピンの高さに対して５０％〜７０％の範囲の高さに位置する部分であることを特徴としている。
【００４３】
本発明の第７の態様のプローブカードの製造方法によれば、プローブピンの先端自由度と連結性とを両立させることができる。
【００４４】
本発明の第８の態様のプローブカードの製造方法は、第６または第７の態様のプローブカードの製造方法において、連結体は、弾性材料によって形成されていることを特徴としている。
【００４５】
本発明の第８の態様のプローブカードの製造方法によれば、プローブピンの連結性を維持しつつ、プローブピンの変形の自由度を高めることができる。
【００４６】
本発明の第９の態様のプローブカードの製造方法は、第６から第８のいずれか１の態様のプローブカードの製造方法において、連結体形成工程の前において、連結体の厚さよりも高い１個または２個以上の突起をレジスト台の表面に形成する突起形成工程とを備えていることを特徴としている。
【００４７】
本発明の第９の態様のプローブカードの製造方法によれば、複数個のプローブピンが貫通する部分を除いて１個または２個以上の貫通孔を有する形状に連結体を形成することができる。
【００４８】
本発明の第１０の態様のプローブカードの製造方法は、第６から第８のいずれか１の態様のプローブカードの製造方法において、レジスト台の表面は、複数個のプローブピンが貫通する部分を除いて連結体の表面に貫通孔が形成されない程度に平滑に形成されていることを特徴としている。
【００４９】
本発明の第１０の態様のプローブカードの製造方法によれば、複数個のプローブピンが貫通する部分を除いて貫通孔を有しない板状に連結体を形成することができる。
【００５０】
本発明の第１１の態様のプローブカードの製造方法は、第６から第１０のいずれか１の態様のプローブカードの製造方法において、連結体形成工程の前において、レジスト台に対して配線板まで貫通する貫通孔を複数のプローブピンの形成領域よりも外側に形成する貫通孔形成工程と、連結体形成工程の前において、レジスト台の貫通孔の内部に弾性材料を用いて支持部材を形成する支持部材形成工程とを備えていることを特徴としている。
【００５１】
本発明の第１１の態様のプローブカードの製造方法によれば、プローブピンの形成領域の外側から連結体を支持する支持部材を形成することができる。
【発明の効果】
【００５２】
本発明のプローブカードによれば、プローブピンの湾曲時における曲率半径の制御、ウェハの電極に形成された酸化膜の切削、プローブピンの配置の高密度化、プローブピンの連結による先端位置の制御、導電粉末による短絡防止などが可能になるので、傾斜型垂直カンチレバー形状のプローブピンを備える従来のプローブカードに生じていた種々の問題点を解決することができるという効果を奏する。
【００５３】
また、本発明のプローブカードの製造方法によれば、プローブ型の形成方法や形成位置、連結体を形成する連結台の形成を各工程において適宜行なっているので、種々の問題点を解決した本発明のプローブカードを製造することができるという効果を奏する。
【発明を実施するための最良の形態】
【００５４】
以下、本発明のプローブカードおよびプローブカードの製造方法をその２つの実施形態により説明する。
【００５５】
はじめに、第１の実施形態のプローブカード１Ａを説明する。
【００５６】
図１は、第１の実施形態のプローブカード１Ａを示す斜視図である。また、図２は、第１の実施形態のプローブカード１Ａを示す正面図である。第１の実施形態のプローブカード１Ａは、図１および図２に示すように、配線板２および複数個のプローブピン３を備えている。
【００５７】
配線板２としては、従来からプローブカード１Ａに用いられるものと同様のものを選択する。図示はしないが、配線板２の表面には、複数のプローブピン３と電気的に接続する配線パターンが形成されている。
【００５８】
プローブピン３は、図１および図２に示すように、傾斜型垂直カンチレバー形状であって末広形状に形成されている。ここで、傾斜型垂直カンチレバー形状とは、配線板２に対して水平方向の一方（傾斜方向ＳＤ）へ傾斜する垂直カンチレバー形状をいう。また、末広形状とは、プローブピン３の幅が配線板２に近づくほど拡大する形状、言い換えると、その幅が先端３ｔから根元３ｒに向かって拡大する形状をいう。プローブピン３の幅とは、配線板２に対する垂直方向ＰＤおよびプローブピン３の傾斜方向ＳＤの両方向に対して直交する方向の幅Ｄ１であってもよいし、配線板２に対する垂直方向ＰＤに対して直交し、プローブピン３の傾斜方向ＳＤに対して平行な方向の幅Ｄ２であってもよい。なお、幅Ｄ１に対して幅Ｄ２が薄くなるほどプローブピン３が傾斜方向ＳＤに傾斜しやすくなる。
【００５９】
第１の実施形態のプローブピン３の寸法については、次に通りである。例えば、プローブピン３の高さは２００μｍ〜３ｍｍに設定されている。また、プローブピン３の幅Ｄ１および幅Ｄ２については、先端３ｔ側において１０μｍ〜５０μｍに設定されており、根元３ｒ側において１００μｍ〜１５０μｍに設定されている。なお、上記で述べたプローブピン３の寸法は一例であってそれ以外の数値に設定されていてもよい。
【００６０】
これら複数個のプローブピン３は、図２に示すように、その傾斜方向ＳＤにおいて隣位する他のプローブピン３に対し、平面視において部分的に重複させて配置されていることが好ましい。図２においては、２本の点線で囲まれた部分が重複部分となる。第１の実施形態のプローブピン３における根元３ｒ付近のピッチ間距離は、おおむね２０μｍ〜２００μｍに設定されている。なお、上記と同様、それ以外の数値に設定されていてもよい。
【００６１】
すべてのプローブピン３は、図１および図２に示すように、プローブピン３と接触する図示しないウェハの電極（接触対象）に対して先端３ｔから根元３ｒに向かう方向に線状に突起する接触部４を有する形状に形成されていることが好ましい。この接触部４は、プローブピン３の先端３ｔを含む部分であって先端３ｔから根元３ｒに向かう任意の部分において形成されている。つまり、この接触部４は、図１および図２に示すように、プローブピン３の先端３ｔ部分にのみ形成されていてもよいし、図示はしないが、プローブピン３の先端３ｔから中間部３ｍ付近もしくは根元３ｒまで形成されていてもよい。
【００６２】
図３は、図１の３−３矢視方向から切断してプローブピン３の先端方向を図示した斜視図である。プローブピン３の接触部４は、図３に示すように、プローブピン３の先端３ｔが長方形の一辺に三角形の一辺が接続したような断面形状に形成されることにより、線状に突起している。この接触部４としては、種々の形状が考えられる。たとえば、図４に示すように、プローブピン３の先端３ｔの断面を三角形または三角形の角が丸まった図形に設定し、それらの角に相当する部分を接触部４として採用しても良い。また、図５に示すような大円から小円を突出させた形状や、図６に示すような円形から三角形を突出させた形状にプローブピン３の先端３ｔの断面を設定し、それらの小円や角に相当する部分を接触部４として採用しても良い。
【００６３】
プローブピン３の断面形状または断面寸法は、垂直方向ＰＤに対して段階的に異なっていることが好ましい。たとえば、図２に示すように、垂直方向ＰＤにおいてプローブピン３に接触部４が形成された部分と形成されていない部分とがある。それらは、プローブピン３の断面形状を垂直方向ＰＤに対して段階的に異ならせた一例である。また、図示はしないが、プローブピン３の先端３ｔの断面を三角形や逆Ｔ字形などにし、プローブピン３の中間部３ｍや根元３ｒの断面を楕円形や四角形などにするなど、断面形状を大きく異ならせてもよい。また、たとえば、図７に示すように、プローブピン３の断面寸法の拡大率を中間部３ｍ付近において変化させることにより、プローブピン３の断面寸法を垂直方向ＰＤに対して段階的に異ならせてもよい。なお、プローブピン３の接触部４は鋭利に形成されていることが好ましい。
【００６４】
次に、第１の実施形態のプローブカード１Ａの製造方法を説明する。
【００６５】
図８は、第１の実施形態のプローブカード１Ａの製造方法をＡ〜Ｄの順に示す縦断面図である。第１の実施形態のプローブカード１Ａは、図８Ａ〜Ｄの順に示すように、プローブ型形成工程、プローブピン形成工程およびレジスト膜除去工程を経て、製造される。
【００６６】
プローブ型形成工程においては、図８Ａに示すように、配線板２の表面にレジスト材を均一に塗布して形成したレジスト膜１０に対して、傾斜した特別な光を用いて露光を行ない、その後に現像を行なう。特別な光とは、光の焦点位置を調節することにより得た末広がりまたは尻すぼまりの光である。また、光としては、レーザ光などのスポット形状の制御が容易な光を使用する。光の傾斜方法としては、光自体の傾斜、鏡面反射による入射角の変更、配線板２の傾斜など、レジスト膜１０と光とが相対的に傾斜した方法であればよい。
【００６７】
レジスト材としては、ポジ型レジスト材であってもネガ型レジスト材であってもよい。プローブ型１１を容易に形成したい場合やレジスト材を容易かつ低廉に入手したい場合はポジ型レジスト材を用いることが好ましく、プローブピン３の高さを高くしたい場合や露光寸法精度を向上させたい場合にはネガ型レジスト材を用いることが好ましい。
【００６８】
上記の露光および現像により、傾斜型貫通孔形状であって末広孔形状のプローブ型１１をレジスト膜１０に複数個形成する。傾斜型貫通孔形状とは、配線板２に対して水平方向の一方へ傾斜する形状である。また、末広孔形状とは、プローブ型１１の幅が配線板２に近づくほど拡大する形状である。
【００６９】
図８Ａの２本の点線が示すように、これら複数個のプローブ型１１は、プローブ型１１の傾斜方向ＳＤにおいて隣位する他のプローブ型１１に対し、平面視において部分的に重複させて形成されていることが好ましい。
【００７０】
所望するプローブピン３の断面形状や断面寸法を図７に示すように配線板２の垂直方向ＰＤにおいて段階的に変化させたい場合、末広がりまたは尻すぼまりの光のスポット形状またはスポット寸法を異ならせ、多段階露光を行なうことが好ましい。この多段階露光は、前述した焦点位置の調整の他、露光深度に基づいて行なう。これにより、プローブ型１１の断面形状または断面寸法を垂直方向ＰＤにおいて段階的に異ならせた形状にプローブ型１１が形成される。
【００７１】
プローブ型１１の下方断面の断面寸法を上方断面の断面寸法よりもその中間を境に段階的に拡大させたプローブ型１１をポジ型レジスト材に対する２段階露光により形成する方法の一例を図９および図１０に示す。図９は、プローブ型１１の中間から上方側を露光した状態を示す縦断面図である。また、図１０は、プローブ型１１の中間から下方側を露光した状態を示す縦断面図である。プローブ型１１の中間から上方側を露光する場合、図９に示すように、焦点位置をレジスト膜１０の上方に設定し、かつ、露光深度を形成予定のプローブ型１１の中間地点に設定した末広がりの光Ｌ１をレジスト膜１０に露光する。また、プローブ型１１の中間から下方側を露光する場合、図１０に示すように、プローブ型１１の中間から上方側を露光した後、焦点位置をレジスト膜１０の表面付近または形成予定のプローブ型１１の上方付近に設定し、かつ、露光深度を配線板２の表面またはそれよりも下方に設定した末広がりの光Ｌ２をレジスト膜１０に露光する。そして、図９および図１０に示した２段階露光の終了後、現像処理を行なうことにより、プローブ型１１の下方断面の断面寸法を上方断面の断面寸法よりもその中間を境に段階的に拡大させたプローブ型１１が形成される。
【００７２】
前述の一例はプローブ型１１の断面寸法の段階的変化について説明したが、プローブ型１１の断面形状を段階的に変化させたい場合も同様にして行なう。
【００７３】
なお、ネガ型レジスト材に対して多段階露光を行なう場合、レジスト膜１０においてプローブ型１１が形成されない部分に対して末広がりまたは尻すぼまりの光を用いた多段階露光を行なえばよい。
【００７４】
プローブピン３に接触部４を形成する場合、図１１に示すように、接触部４を有する形状のプローブピン３の水平断面形状に基づいて決定したスポット形状を有する末広がりまたは尻すぼまりの光Ｌａを用いて露光を行なうことが好ましい。プローブピン３の水平断面形状に基づいて決定したスポット形状とは、ポジ型レジスト材であればプローブピン３の水平断面形状と同様の断面形状であり、ネガ型レジスト材であれば、プローブピン３の水平断面形状を反転させた形状である。
【００７５】
また、前述の場合、プローブ型１１の形成において多段階露光を行なう場合は少なくとも最初の露光段階のときに、図１１に示すような接触部４の形成を考慮したスポット形状の光Ｌａを露光し、残りの露光段階のときに、図１２に示すような接触部４の形成を考慮していないスポット形状の光Ｌｂを露光すればよい。多段階露光ではなく通常の露光を行なう場合であれば、その露光段階のときに図１１に示すようなスポット形状の光Ｌａを露光する。
【００７６】
なお、第１の実施形態においては、次のプローブピン形成工程においてプローブピン３をめっき形成するため、レジスト膜１０が形成される配線板２の表面に均一の厚さのシード膜１２を予め形成しておく。シード膜１２の材質としては、Ｔｉ−Ｃｕ系合金などのＣｕ系合金が選択されている。また、このシード膜１２は、スパッタにより形成される。
【００７７】
プローブピン形成工程においては、図８Ｂに示すように、複数個のプローブ型１１を用いて導電性のプローブピン３を複数個形成する。前述の通り、プローブピン３はシード膜１２を導電させて金属めっきにより形成される。プローブピン３の材質としては、Ｎｉ−Ｐ系合金、Ｎｉ−Ｃｏ系合金などのＮｉ系合金が選択されている。この工程により、傾斜型垂直カンチレバー形状であって末広形状のプローブピン３が複数個形成される。
【００７８】
レジスト膜除去工程においては、図８Ｃに示すように、プローブピン３の形成後にプローブ型１１が形成されたレジスト膜１０を除去する。レジスト膜１０の除去剤としては、ＮＭＰ（Ｎ−メチル−２−ピロリドン）が選択されている。なお、レジスト膜１０の除去によって露出したシード膜１２は、そのまま残しておくと複数のプローブピン３の間における短絡の原因となる。そのため、図８Ｄに示すように、レジスト膜１０の除去後にイオンミリングにより除去しておく。
【００７９】
次に、第１の実施形態のプローブカード１Ａの作用を説明する。
【００８０】
図１３は、複数個のプローブピン３の先端３ｔにテストウェハの電極をそれぞれ接触させてからテストウェハをプローブカード１Ａの配線板２側に押圧した状態を示す正面図である。第１の実施形態のプローブカード１Ａにおいては、図１および図２に示すように、複数個のプローブピン３が傾斜型垂直カンチレバー形状であって末広形状に形成されている。そのため、図１３に示すように、プローブピン３の先端３ｔがその根元３ｒよりも湾曲しやすくなるので、テストウェハを押下した際、隣位する他のプローブピン３と接触することを防止することができる。
【００８１】
また、第１の実施形態のプローブカード１Ａにおいては、前述の通り、隣位する他のプローブピン３との接触を防止することができるので、図２に示すように、複数個のプローブピン３がその傾斜方向ＳＤにおいて部分的に重複配置されている。重複配置部分が増大すれば、プローブピン３のピッチ間距離を小さくすることができるので、プローブピン３の配置密度を高くすることができる。
【００８２】
図３から図７に示すように、プローブピン３の断面形状または断面寸法が段階的に異なる形状に形成されている場合、その断面形状や断面寸法によってプローブピン３の湾曲変形の態様が異なってくる。例えば、図１に示した傾斜方向ＳＤの幅Ｄ２が大きくする断面形状や断面寸法を採用する場合、プローブピン３は湾曲変形し難くなる。また、傾斜方向ＳＤと直交方向の幅Ｄ１を大きくする断面形状や断面寸法を採用する場合、プローブピン３は傾斜方向ＳＤ以外の方向に湾曲変形し難くなる。このような特性を考慮してプローブピン３の断面形状や断面寸法を段階的に変化させて設定することにより、プローブピン３の先端３ｔ側は小さな力で湾曲変形し、その根元３ｒ側は大きな力が加わっても湾曲変形しないといったような、プローブピン３の弾性特性を段階的に変化させることができる。
【００８３】
プローブピン３の先端３ｔを含む部分に接触部４を形成した場合、図１３に示すように、プローブピン３の接触部４がテストウェハ２０の電極２１の表面に接触する。テストウェハ２０の電極２１の表面には、図示はしないが、絶縁性の薄い酸化膜が形成されていることが多い。しかし、プローブピン３の接触部４は線状に突起させた形状であるので、テストウェハ２０の電極２１に接触部４が接触したときに接触部４が前述の酸化膜を切削するので、切削された部分の酸化膜がテストウェハ２０の電極２１から剥離し、テストウェハ２０の電極２１とプローブピン３とを確実に導通させることができる。
【００８４】
次に、第１の実施形態のプローブカード１Ａの製造方法の作用を説明する。
【００８５】
第１の実施形態のプローブカード１Ａの製造方法は、前述および図８Ａ〜Ｄに示す通り、プローブ型形成工程、プローブピン形成工程およびレジスト膜除去工程を備えている。そのプローブ型形成工程においては、通常の露光処理に用いる平行光ではなく、焦点調節により得た末広がりまたは尻すぼまりの光を傾斜させてレジスト膜１０を露光している。傾斜した光がレジスト膜１０に露光されるとその露光部分は傾斜形状となり、末広がりまたは尻すぼまりの光がレジスト膜１０に露光されるとその露光部分は末広がりまたは尻すぼまり形状になるので、露光後の現像処理により、傾斜型貫通孔形状であって末広孔形状のプローブ型１１をレジスト膜１０に形成することができるため、傾斜型垂直カンチレバー形状であって末広形状のプローブピン３を複数個形成することができる。
【００８６】
前述のプローブ型１１の形成の際に、図９および図１０に示すように、露光深度に基づいて多段階露光を行なうと、プローブ型１１の断面形状または断面寸法を垂直方向ＰＤにおいて段階的に異ならせた形状にプローブ型１１を形成することができる。プローブ型１１の断面形状または断面寸法が段階的に異なっていると、プローブピン３の弾性特性を段階的に変化させたプローブピン３を形成することができる。
【００８７】
また、多段階露光を行なう場合は少なくとも最初の露光段階のときに、多段階露光ではなく通常の露光を行なう場合はその露光段階のときに、例えば図１１に示すような突起を有する形状またはその反転形状をスポット形状とする末広がりまたは尻すぼまりの光を用いて露光を行なうと、図１１に示すような形状に対応したプローブ型１１が形成される。このプローブ型１１に基づいてプローブピン３を形成することにより、図３に示すような線状に突起した接触部４を有するプローブ型１１を形成することができる。
【００８８】
図８Ａに示すように、複数個のプローブ型１１を平面視において部分的に重複させて形成すれば、傾斜方向ＳＤにおいて隣位する複数のプローブピン３を平面視において部分的に重複させて配置させることができる。
【００８９】
プローブピン３については、その高さが高いほどプローブピン３の長さが長くなるので、湾曲変形が容易になり、プローブピン３の垂直方向ＰＤの変形量を大きくすることができる。そこで、プローブピン３の高さを高くしたい場合、レジスト膜１０の材質としては、ポジ型レジスト材ではなく、ネガ型レジスト材を選択することが好ましい。ポジ型レジスト材を用いてレジスト膜１０を形成した場合、レジスト膜１０の最大厚さは約２００〜３００μｍ程度である。それに対し、ネガ型レジスト材を用いてレジスト膜１０を形成した場合、レジスト膜１０の最大厚さは約１０００μｍとなるので、それにともなってプローブ型１１の深さも深くなり、プローブピン３の高さを容易に高くすることができる。
【００９０】
次に、第２の実施形態のプローブカード１Ｂを説明する。
【００９１】
図１４は第２の実施形態のプローブカード１Ｂを示す斜視図であり、図１５は第２の実施形態のプローブカード１Ｂを示す縦断面図である。第２の実施形態のプローブカード１Ｂは、図１４および図１５に示すように、配線板２、複数個のプローブピン３および連結体５を備えている。
【００９２】
配線板２としては、第１の実施形態と同様のものを用いる。
【００９３】
プローブピン３は、傾斜型垂直カンチレバー形状に形成されている。傾斜型垂直カンチレバー形状とは、第１の実施形態と同様、配線板２に対して水平方向の一方（傾斜方向ＳＤ）へ傾斜する垂直カンチレバー形状である。第２の実施形態のプローブピン３は、図１６に示すように、第１の実施形態と同様、その幅が配線板２に近づくほど拡大する末広形状に形成されていることが好ましい。
【００９４】
なお、第１の実施形態と同様、第２の実施形態のプローブピン３については、平面視において重複配置されていること、接触部４を有する形状に形成されていること、その断面形状または断面寸法が垂直方向ＰＤに対して段階的に異なって形成されていることが好ましい。
【００９５】
連結体５は、絶縁材料を用いて形成されており、複数個のプローブピン３の中間部３ｍを相互に連結している。連結体５の厚みは、３０μｍ〜３００μｍであって、プローブピン３の高さの３０％以下に設定されている。なお、上記数値は一例であって、それ以外の数値に設定されていてもよい。
【００９６】
連結体５は、弾性材料を用いて形成されていることが好ましい。たとえば、弾性材料の一例としては、シリコーン樹脂、シリコーンゴム、発泡ウレタン、ポリイミドなどが挙げられる。
【００９７】
プローブピン３の中間部３ｍとは、配線板２の垂直方向ＰＤにおける中間付近に位置する部分をいう。具体的には、プローブピン３の中間部３ｍは、プローブピン３の高さに対して５０％〜７０％の範囲の高さに位置する部分であることが好ましい。
【００９８】
連結体５の形状としては、以下の２つの例が挙げられる。第一例としては、図１４および図１５に示すように、連結体５は、複数個のプローブピン３が貫通する部分を除いて貫通孔を有しない板状に形成されている。連結体５のどの部分においても均一な剛性力を生じさせるため、連結体５は平板状に形成されていることが好ましい。
【００９９】
連結体５の形状の第二例として、連結体５は、図１７に示すように、複数個のプローブピン３が貫通する部分を除いて貫通孔５ｈを有する形状に形成されている。貫通孔５ｈの個数は、１個であってもよいし、２個以上であってもよい。貫通孔５ｈの形状に限定はない。
【０１００】
また、連結体５は、図１４および図１５に示すように、支持部材６によって支持されていることが好ましい。この支持部材６は、弾性材料を用いて形成されており、配線板２から連結体５に向かって起立している。弾性材料としては、前述と同様のものが選択される。支持部材６は連結体５を支持するため、２個以上配設されていることが好ましい。
【０１０１】
次に、第２の実施形態のプローブカード１Ｂの製造方法を説明する。
【０１０２】
図１８は、第２の実施形態のプローブカード１Ｂの製造方法をＡ〜Ｆの順に示した縦断面図である。第２の実施形態のプローブカード１Ｂは、図１８Ａ〜Ｆの順に示すように、プローブ型形成工程、プローブピン形成工程、レジスト膜除去工程、レジスト台形成工程、連結体形成工程およびレジスト台除去工程を経て、製造される。
【０１０３】
プローブ型形成工程においては、図１８Ａに示すように、配線板２の表面に形成されたレジスト膜１０に対して露光および現像を行ない、傾斜型貫通孔形状のプローブ型１１を複数個形成する。この工程は第１の実施形態とほぼ同様である。ただし、プローブ型１１は末広孔形状に形成されていることが好ましいが、必須ではない。傾斜型貫通孔形状のプローブ型１１を末広孔形状に形成しない場合は平行光をレジスト膜１０に対して傾斜させて露光を行なう。
【０１０４】
なお、第１の実施形態と同様、プローブ型１１については、平面視において重複配置されていること、プローブピン３の接触部４の形成を考慮したスポット形状の露光を好適な露光段階において行なうこと、その断面形状または断面寸法が垂直方向ＰＤに対して段階的に異ならせた形状になっていることが好ましい。また、第１の実施形態と同様、プローブピン３の高さを高く形成したい場合は、レジスト材としてネガ型レジスト材を用いることが好ましい。
【０１０５】
プローブピン形成工程においては、図１８Ｂに示すように、プローブ型１１の内部にプローブピン３を形成する。この工程は、第１の実施形態と同様である。よって、プローブピン３をめっき形成する場合は、レジスト膜１０の形成前に配線板２の表面にシード膜１２を形成しておく。
【０１０６】
レジスト膜除去工程においては、図１８Ｃに示すように、レジスト膜１０を除去する。また、シード膜１２を形成した場合、レジスト膜１０の除去後にイオンミリングにより露出したシード膜１２を除去する。この工程は、第１の実施形態と同様である。
【０１０７】
レジスト台形成工程においては、図１８Ｄに示すように、レジスト膜除去工程後、シード膜１２を形成した場合はそのシード膜１２の除去後、レジスト材を用いてレジスト台１５を形成する。このレジスト台１５の厚さは、配線板２の表面から垂直方向ＰＤにおける中間付近に位置する複数個のプローブピン３の中間部３ｍまでの厚さに設定しておく。また、このレジスト台１５は、プローブピン３のすべてを内包させて配線板２の表面に形成する。
【０１０８】
プローブピン３の中間部３ｍとは、前述の通り、プローブピン３の高さに対して５０％〜７０％の範囲の高さに位置する部分である。
【０１０９】
連結体５を図１４および図１５に示したような貫通孔のない板状に形成する場合、レジスト台１５の表面は、図１８Ｄに示すように、複数個のプローブピン３が貫通する部分を除いて連結体５の表面に貫通孔が形成されない程度に平滑に形成されている。
【０１１０】
それに対し、連結体５を図１７に示したような貫通孔５ｈを有する状に形成する場合、連結体形成工程の前において、図１９に示すように、次の工程において形成する連結体５の厚さよりも高い突起１５ｐをレジスト台１５の表面に形成する突起形成工程とを備えていることが好ましい。この突起１５ｐは、レジスト台１５の形成工程においてその表面に露光および現像を行なってレジスト台１５とともに形成しておくことが好ましい。この突起１５ｐの個数は貫通孔５ｈの個数に対応させておく。
【０１１１】
連結体形成工程においては、図１８Ｅに示すように、レジスト台１５の表面に絶縁材料を塗布して硬化させる。これにより、複数のプローブピン３の中間部３ｍを相互に連結する連結体５がレジスト台１５の表面に形成される。連結体５の厚さは前述の通りである。なお、図１９に示すように、レジスト台１５に突起１５ｐが形成されている場合、連結体５の厚さがその突起１５ｐの高さを超えないように連結体５を形成する。
【０１１２】
連結体５は、前述の通り、弾性材料によって形成されていることが好ましい。
【０１１３】
レジスト台除去工程においては、図１８Ｆに示すように、連結体５の形成後にレジスト台１５を除去する。レジスト台１５の除去剤はレジスト膜１０の除去材と同様である。
【０１１４】
なお、連結体５に支持部材６を設ける場合、レジスト台１５の形成後であって連結体５の形成前に、図２０に示す貫通孔形成工程および図２１に示す支持部材形成工程を備えておくことが好ましい。
【０１１５】
貫通孔形成工程においては、図２０に示すように、レジスト台１５に対して配線板２まで貫通する貫通孔１５ｈを複数のプローブピン３の形成領域よりも外側に形成する。貫通孔１５ｈの形状や寸法に特段の限定はない。よって、この貫通孔１５ｈの断面が円形や四角形であっても良いし、細長い形状であっても良い。
【０１１６】
支持部材形成工程においては、図２１に示すように、レジスト台１５の貫通孔１５ｈの内部に弾性材料を用いて支持部材６を形成する。連結体５が弾性材料を用いて形成する場合、支持部材６の弾性材料としては、連結体５と同一の材料を用いることが好ましい。また、連結体５および支持部材６の材料が同一の場合、支持部材形成工程と連結体形成工程とを同時に行なっても良い。
【０１１７】
次に、第２の実施形態のプローブカード１Ｂの作用を説明する。
【０１１８】
図２２は、第２の実施形態のプローブカード１Ｂにおいてプローブピン３が湾曲変形した状態を示している。第２の実施形態のプローブカード１Ｂにおいては、図１４および図１５に示すように、傾斜型垂直カンチレバー形状のプローブピン３の中間部３ｍに連結体５が形成されている。複数個のプローブピン３の中間部３ｍが絶縁性の連結体５によって連結されている場合、図２２に示すように、１本のプローブピン３が湾曲変形すると、他のプローブピン３も連結体５を介して同時に湾曲変形する。言い換えると、プローブピン３の高さが異なってしまった場合であっても、複数個のプローブピン３におけるテストウェハ２０の電極２１との接触順序にかかわらず、すべてのプローブピン３の湾曲変形が同時に開始される。そのため、複数個のプローブピン３における先端３ｔの位置はどのプローブピン３との間においてもほぼ同一であり、先端３ｔの位置が相対的に変化することを防止することができる。
【０１１９】
なお、図１６に示すように、第１の実施形態と同様、第２の実施形態のプローブピン３が、末広形状に形成されていたり、平面視において重複配置されていたり、接触部４を有する形状に形成されていたり、その断面形状または断面寸法が垂直方向ＰＤに対して段階的に異なって形成されていると、第１の実施形態と同様の作用を生じさせることができる。
【０１２０】
連結体５が形成されるプローブピン３の中間部３ｍがプローブピン３の高さに対して５０％〜７０％の範囲の高さに位置する部分に設定されていることが好ましい。例えば、プローブピン３の中間部３ｍがプローブピン３の高さに対して９０％の高さに位置する部分に設定されていた場合、テストウェハ２０と連結体５とが当接してテストウェハ２０の電極２１とプローブピン３とが接触不良を起こすおそれや、プローブピン３の先端３ｔの湾曲変形が阻害されてテストウェハ２０の電極２１の高低差を吸収することが困難になるおそれが生じる。
【０１２１】
その反対に、例えば、プローブピン３の中間部３ｍがプローブピン３の高さに対して２０％の高さに位置する部分に設定されていた場合、プローブピン３が湾曲変形した際、プローブピン３の先端３ｔは傾斜方向ＳＤに大きく移動するのに、連結体５によって連結されたプローブピン３の中間部３ｍは傾斜方向ＳＤにあまり移動せず、先端３ｔの位置が相対的に変化することを防止することが困難になるおそれがある。
【０１２２】
つまり、プローブピン３の中間部３ｍがプローブピン３の高さに対して５０％〜７０％の範囲の高さに位置する部分に設定されていると、プローブピン３の先端自由度と連結性とを両立させることができる。
【０１２３】
連結体５は、弾性材料によって形成されていると、プローブピン３が湾曲変形した際に、連結体５が傾斜方向ＳＤに伸縮する。連結体５が伸縮することにより、プローブピン３の先端３ｔが連結体５によって連結されつつもある程度自由に移動することができるので、連結体５がテストウェハ２０の電極２１の高低差を吸収することができる。つまり、プローブピン３の連結性を維持しつつ、プローブピン３の変形の自由度を高めることができる。
【０１２４】
プローブピン３の変形の自由度を高めたい場合、図１７に示すように、連結体５に１個または２個以上の貫通孔５ｈを形成しておくことが好ましい。連結体５に貫通孔５ｈを形成することにより、貫通孔５ｈの大きさや個数に応じて連結体５の弾性力を制御することができる。
【０１２５】
また、プローブピン３とテストウェハ２０の電極２１との接触により導電粉末が生じるおそれがある場合、図１４および図１５に示すように、連結体５は貫通孔を有しない板状に形成されていることが好ましい。仮に、ウェハの電極２１とプローブピン３との接触によって導電粉末が生じたとしても、貫通孔のない連結体５の表面において導電粉末を捕まえることができる。これにより、導電粉末がプローブピン３の根元３ｒや配線板２の導電パターンに付着することを防止することができるので、複数個のプローブピン３の間や導電パターンとの間などの導電部材間において短絡が生じることを未然に防止することができる。
【０１２６】
このような連結体５は、図１４および図１５に示すように、支持部材６によって支持されていることが好ましい。連結体５が支持部材６によって支持されていると、プローブピン３に加わる連結体５の重さを減少させることができるので、連結体５の重量によってプローブピン３が湾曲変形してしまうことを防止することができる。また、支持部材６の剛性が高くなると、プローブピン３が先端３ｔから連結体５の連結部までにおいて湾曲変形しやすくなり、その残りの部分が湾曲変形しにくくなるので、プローブピン３を末広形状に形成した際の作用と同様の作用を得ることができる。
【０１２７】
次に、第２の実施形態のプローブカード１Ｂの製造方法の作用を説明する。
【０１２８】
第２の実施形態のプローブカード１Ｂは、図１８Ａ〜Ｆの順に示すように、プローブ型形成工程、プローブピン形成工程、レジスト膜除去工程、レジスト台形成工程、連結体形成工程およびレジスト台除去工程を経て、製造される。ここで、第２の実施形態のプローブカード１Ｂの製造方法においては、図１８Ｄに示すレジスト台形成工程、図１８Ｅに示す連結体形成工程および図１８Ｆに示すレジスト台除去工程を経て連結体５がプローブピン３の中間部３ｍに形成されるので、連結体５によって複数のプローブピン３の中間部３ｍを相互に連結させることができる。
【０１２９】
なお、第１の実施形態と同様（図９および図１０を参照）、プローブ型１１については、末広孔形状に形成されていたり、平面視において重複配置されていたり、プローブピン３の接触部４の形成を考慮したスポット形状の露光を好適な露光段階において行なわれたり、その断面形状または断面寸法が垂直方向ＰＤに対して段階的に異ならせた形状になっていると、第１の実施形態と同様の作用を生じる。また、レジスト材としてネガ型レジスト材を用いると、第１の実施形態と同様、プローブピン３の高さを高く形成することができる。
【０１３０】
プローブピン３の中間部３ｍをプローブピン３の高さに対して５０％〜７０％の範囲の高さに位置する部分に設定すると、前述の通り、プローブピン３の先端自由度と連結性とを両立させることができる。
【０１３１】
また、連結体５を弾性材料によって形成すると、プローブピン３の連結性を維持しつつ、プローブピン３の変形の自由度を高めることができる。
【０１３２】
また、連結体形成工程の前において、図１９に示すような、レジスト台１５の表面に突起１５ｐを形成する突起形成工程とを備えていると、図１７に示すように、複数個のプローブピン３が貫通する部分を除いて１個または２個以上の貫通孔５ｈを有する形状に連結体５を形成することができる。
【０１３３】
それに対し、レジスト台１５の表面を図１８Ｄに示すように平滑に形成すると、図１４および図１５に示すような、複数個のプローブピン３が貫通する部分を除いて貫通孔を有しない板状に連結体５を形成することができる。
【０１３４】
また、連結体形成工程の前において、図２０に示すようなレジスト台１５に貫通孔１５ｈを形成する貫通孔形成工程と、図２１に示すようなレジスト台１５の貫通孔１５ｈの内部に支持部材６を形成する支持部材形成工程とを備えていると、プローブピン３の形成領域の外側から連結体５を支持する支持部材６を形成することができる。
【０１３５】
すなわち、本実施形態のプローブカード１Ｂによれば、プローブピン３の湾曲時における曲率半径の制御、ウェハの電極に形成された酸化膜の切削、プローブピン３の配置の高密度化、プローブピン３の連結による先端３ｔの位置の制御、導電粉末による短絡防止などが可能になるので、傾斜型垂直カンチレバー形状のプローブピン３を備える従来のプローブカード１Ｂに生じていた種々の問題点を解決することができるという効果を奏する。
【０１３６】
また、本実施形態のプローブカード１Ｂの製造方法によれば、プローブ型１１の形成方法や形成位置、連結体５を形成する連結台の形成を各工程において適宜行なっているので、種々の問題点を解決した本実施形態のプローブカード１Ｂを製造することができるという効果を奏する。
【０１３７】
なお、本発明は、前述した実施形態などに限定されるものではなく、必要に応じて種々の変更が可能である。
【図面の簡単な説明】
【０１３８】
【図１】第１の実施形態のプローブカードを示す斜視図
【図２】第１の実施形態のプローブカードを示す正面図
【図３】図１の３−３矢視方向から切断してプローブピンの先端方向を示す斜視図
【図４】図３と同様の方向からみた他の実施形態のプローブピンの先端方向を示す斜視図
【図５】図３と同様の方向からみた他の実施形態のプローブピンの先端方向を示す斜視図
【図６】図３と同様の方向からみた他の実施形態のプローブピンの先端方向を示す斜視図
【図７】プローブピンの断面寸法の拡大率を中間部３ｍ付近において段階的に変化させた状態を示す斜視図
【図８】第１の実施形態のプローブカードの製造方法をＡ〜Ｄの順に示す縦断面図
【図９】これから形成するプローブ型の中間から上方側を露光した状態を示す縦断面図
【図１０】これから形成するプローブ型の中間から下方側を露光した状態を示す縦断面図
【図１１】接触部を有するプローブピンの水平断面形状に基づいて決定したスポット形状を有する末広がりまたは尻すぼまりの光を示すスポット断面図
【図１２】プローブピンの接触部の形成を考慮していないスポット形状の光を示すスポット断面図
【図１３】第１の実施形態のプローブピンにテストウェハの電極が接触した状態を示す正面図
【図１４】第２の実施形態のプローブカードを示す斜視図
【図１５】第２の実施形態のプローブカードを示す縦断面図
【図１６】第２の実施形態のプローブカードにおいてプローブピンが末広形状に形成された状態を示す斜視図
【図１７】第２の実施形態の連結体に貫通孔が設けられた状態を示す平面図
【図１８】第２の実施形態のプローブカードの製造方法をＡ〜Ｆの順に示す縦断面図
【図１９】第２の実施形態のプローブカードの製造方法においてレジスト台の表面に複数の突起を形成した状態を示す縦断面図
【図２０】第２の実施形態のプローブカードの製造方法においてレジスト台に貫通孔を形成した状態を示す縦断面図
【図２１】第２の実施形態のプローブカードの製造方法においてレジスト台およびその貫通孔を用いて支持部材および連結体を形成した状態を示す縦断面図
【図２２】第２の実施形態のプローブピンにテストウェハの電極が接触した状態を示す正面図
【図２３】従来のプローブカードを示す正面図
【符号の説明】
【０１３９】
１Ａ、１Ｂ  プローブカード
２  配線板
３  プローブピン
３ｍ  （プローブピンの）中間部
３ｒ  （プローブピンの）根元
３ｔ  （プローブピンの）先端
４  接触部
５  連結体
５ｈ  貫通孔
６  支持部材
１０  レジスト膜
１１  プローブ型
１２  シード膜
１５  レジスト台
ＰＤ  垂直方向
ＳＤ  傾斜方向
Ｄ１、Ｄ２  プローブピンの幅
【図１】
2012032151.tif 000003
【図２】
2012032151.tif 000004
【図３】
2012032151.tif 000005
【図４】
2012032151.tif 000006
【図５】
2012032151.tif 000007
【図６】
2012032151.tif 000008
【図７】
2012032151.tif 000009
【図１１】
2012032151.tif 000010
【図１２】
2012032151.tif 000011
【図１３】
2012032151.tif 000012
【図１４】
2012032151.tif 000013
【図１６】
2012032151.tif 000014
【図１７】
2012032151.tif 000015
【図２３】
2012032151.tif 000016
【図８】
2012032151.tif 000017
【図９】
2012032151.tif 000018
【図１０】
2012032151.tif 000019
【図１５】
2012032151.tif 000020
【図１８】
2012032151.tif 000021
【図１９】
2012032151.tif 000022
【図２０】
2012032151.tif 000023
【図２１】
2012032151.tif 000024
【図２２】
2012032151.tif 000025